【手続補正書】
【提出日】平成28年4月12日(2016.4.12)
【手続補正１】
【補正対象書類名】明細書
【補正対象項目名】００７９
【補正方法】変更
【補正の内容】
【００７９】
本発明を、好ましい実施形態を含めて、詳細に記載してきた。しかし、当業者なら、本開示を考慮すれば、本発明の範囲と趣旨の範囲内に入る本発明に関する修正、および／または、改善を行うことができることを理解するであろう。本発明の実施態様の一部を以下の項目［１］−［２９］に記載する。
［１］
レーザー反応性溶剤系インク用のレーザーマスターバッチ濃縮物であって、
（ａ）１種または複数種のレーザー反応性色素系、
（ｂ）１種または複数種の溶剤であって、少なくとも１種の前記溶剤が少なくとも３個の炭素原子を有する高級直鎖アルコールである溶剤、および
（ｃ）１種または複数種の樹脂
を含み、
工業ニスと混合されてレーザー反応性溶剤系完成インクを形成する、
マスターバッチ濃縮物。
［２］
前記レーザー反応性色素系が、オキシアニオン、カルボン酸塩または他の熱酸発生剤活性化発色剤、ロイコ染料、およびサーモクロミック色素、またはこれらの組み合わせからなる群より選択される、項目１に記載のマスターバッチ濃縮物。
［３］
前記オキシアニオンが、アンモニウムオクタモリブダートである、項目２に記載のマスターバッチ濃縮物。
［４］
前記カルボン酸塩が、ブロック化酸トリ−ｎ−ブチルアンモニウムボロジサリチラートおよびロイコ染料、ならびにこれらの組み合わせからなる群より選択される、項目２に記載のマスターバッチ濃縮物。
［５］
高級直鎖アルコールが、合計溶剤含量の少なくとも８０％を構成する、項目１に記載のマスターバッチ濃縮物。
［６］
高級直鎖アルコールが、合計溶剤含量の少なくとも９０％を構成する、項目１に記載のマスターバッチ濃縮物。
［７］
前記高級直鎖アルコールが、ｎ−プロパノールである、項目５または６に記載のマスターバッチ濃縮物。
［８］
前記レーザー反応性色素の合計量が、少なくとも３８ｗｔ％である、項目１に記載のマスターバッチ濃縮物。
［９］
前記レーザー反応性色素の合計量が、少なくとも４３ｗｔ％である、項目１に記載のマスターバッチ濃縮物。
［１０］
前記レーザー反応性色素の合計量が、少なくとも４５ｗｔ％である、項目１に記載のマスターバッチ濃縮物。
［１１］
前記レーザー反応性色素の合計量が、少なくとも５０ｗｔ％である、項目１に記載のマスターバッチ濃縮物。
［１２］
前記レーザー反応性色素の合計量が、少なくとも５５ｗｔ％である、項目１に記載のマスターバッチ濃縮物。
［１３］
前記レーザー色素系が、１種または複数種のＩＲ熱吸収体をさらに含む、項目１に記載のマスターバッチ濃縮物。
［１４］
前記ＩＲ吸収体が、還元インジウムスズ酸化物である、項目１３に記載のマスターバッチ濃縮物。
［１５］
分散助剤をさらに含む項目１に記載のマスターバッチ濃縮物。
［１６］
前記分散助剤が、約２００〜８，０００ｇ／ｍｏｌの分子量を有するポリエチレングリコールまたはポリプロピレングリコールである、項目１５に記載のマスターバッチ濃縮物。
［１７］
前記分散助剤が、約２００〜２，０００ｇ／ｍｏｌの分子量を有するポリエチレングリコールまたはポリプロピレングリコールである、項目１５に記載のマスターバッチ濃縮物。
［１８］
接着促進剤、従来の着色剤（有機または無機色素および染料）、ろう、脱泡剤、安定剤、シリコーン、レオロジー特性調整剤、および可塑剤から選択される１つまたは複数の添加物をさらに備える、項目１に記載のマスターバッチ濃縮物。
［１９］
前記接着促進剤が、ジルコニウムプロピオナートタイプ材料またはチタニウム錯体タイプ材料である、項目１８に記載のマスターバッチ濃縮物。
［２０］
前記樹脂が、０．１〜５ｍｇＫＯＨ／ｇの酸価、１００〜３５０ｍｇＫＯＨ／ｇのヒドロキシル価、および８０〜１２０℃のガラス転移温度を有する、項目１に記載のマスターバッチ濃縮物。
［２１］
レーザーマスターバッチ濃縮物を調製する方法であって、
（ａ）１種または複数種のレーザー反応性色素系、
（ｂ）１種または複数種の溶剤であって、少なくとも１種の前記溶剤が、少なくとも３個の炭素原子を有する高級直鎖アルコールである溶剤、および
（ｃ）１種または複数種の樹脂
を混合することを含み、
前記レーザーマスターバッチ濃縮物が、工業ニスと混合されて、レーザー反応性溶剤系完成インクを形成できる、
方法。
［２２］
前記レーザー反応性色素系が、オキシアニオン、カルボン酸塩または他の熱酸発生剤活性化発色剤、ロイコ染料、および非可逆的サーモクロミック色素からなる群より選択される、項目２１に記載の方法。
［２３］
高級直鎖アルコールが、ｎ−プロパノールである、項目２１に記載の方法。
［２４］
完成レーザー反応性溶剤系インクを調製する方法であって、項目１に記載のマスターバッチ濃縮物を工業ニスと混合し、完成溶剤系レーザー反応性インクを提供することを含む方法。
［２５］
請求項１に記載のマスターバッチ濃縮物および工業ニスを含むレーザー反応性溶剤系インク。
［２６］
前記インク中のマスターバッチ濃縮物の量が、９０ｗｔ％を超えない、項目２５に記載の反応性溶剤系インク。
［２７］
前記インク中のマスターバッチ濃縮物の量が、８０ｗｔ％を超えない、項目２５に記載の反応性溶剤系インク。
［２８］
前記インク中のマスターバッチ濃縮物の量が、７０ｗｔ％を超えない、項目２５に記載の反応性溶剤系インク。
［２９］
項目２４に記載のインクを含む印刷物品。
【手続補正２】
【補正対象書類名】特許請求の範囲
【補正対象項目名】全文
【補正方法】変更
【補正の内容】
【特許請求の範囲】
【請求項１】
レーザー反応性溶剤系インク用のレーザーマスターバッチ濃縮物であって、
（ａ）少なくとも３８ｗｔ％の、レーザーに照射されると色が変化する１種または複数種のレーザー反応性色素系、
（ｂ）１種または複数種の溶剤であって、少なくとも１種の前記溶剤が少なくとも３個の炭素原子を有する直鎖アルコールである溶剤、
（ｃ）１種または複数種の樹脂、および
（ｄ）約２００〜８，０００ｇ／ｍｏｌの分子量を有するポリエチレングリコールまたはポリプロピレングリコール、および約２００〜２，０００ｇ／ｍｏｌの分子量を有するポリエチレングリコールまたはポリプロピレングリコールより選ばれる分散助剤
を含み、
工業ニスと混合されてレーザー反応性溶剤系完成インクを形成する、
マスターバッチ濃縮物。
【請求項２】
前記１種または複数種のレーザー反応性色素系が、オキシアニオン、カルボン酸塩または他の熱酸発生剤活性化発色剤、ロイコ染料、およびサーモクロミック色素、またはこれらの組み合わせをベースとする、請求項１に記載のマスターバッチ濃縮物。
【請求項３】
前記オキシアニオンが、アンモニウムオクタモリブダートである、請求項２に記載のマスターバッチ濃縮物。
【請求項４】
前記カルボン酸塩が、ブロック化酸トリ−ｎ−ブチルアンモニウムボロジサリチラートおよびロイコ染料、ならびにこれらの組み合わせからなる群より選択される、請求項２に記載のマスターバッチ濃縮物。
【請求項５】
前記直鎖アルコールが、合計溶剤含量の少なくとも８０％、とりわけ少なくとも９０％を構成する、請求項１に記載のマスターバッチ濃縮物。
【請求項６】
前記直鎖アルコールが、ｎ−プロパノールである、請求項５に記載のマスターバッチ濃縮物。
【請求項７】
前記レーザー反応性色素の合計量が、少なくとも３８ｗｔ％、特に少なくとも４３ｗｔ％、少なくとも４５ｗｔ％、少なくとも５０ｗｔ％、又は少なくとも５５ｗｔ％である、請求項１に記載のマスターバッチ濃縮物。
【請求項８】
前記レーザー色素系が、１種または複数種のＩＲ熱吸収体、特に還元インジウムスズ酸化物をさらに含む、請求項１に記載のマスターバッチ濃縮物。
【請求項９】
接着促進剤、従来の着色剤（有機または無機色素および染料）、ろう、脱泡剤、安定剤、シリコーン、レオロジー特性調整剤、および可塑剤からなる群から選択される１つまたは複数の添加物をさらに備える、請求項１に記載のマスターバッチ濃縮物。
【請求項１０】
前記接着促進剤が、ジルコニウムプロピオナートタイプ材料またはチタニウム錯体タイプ材料である、請求項９に記載のマスターバッチ濃縮物。
【請求項１１】
前記樹脂が、０．１〜５ｍｇＫＯＨ／ｇの酸価、１００〜３５０ｍｇＫＯＨ／ｇのヒドロキシル価を有する、請求項１に記載のマスターバッチ濃縮物。
【請求項１２】
レーザーマスターバッチ濃縮物を調製する方法であって、
（ａ）少なくとも３８ｗｔ％の、レーザーに照射されると色が変化する１種または複数種のレーザー反応性色素系、
（ｂ）１種または複数種の溶剤であって、少なくとも１種の前記溶剤が、少なくとも３個の炭素原子を有する直鎖アルコールである溶剤、
（ｃ）１種または複数種の樹脂、および
（ｄ）約２００〜８，０００ｇ／ｍｏｌの分子量を有するポリエチレングリコールまたはポリプロピレングリコール、および約２００〜２，０００ｇ／ｍｏｌの分子量を有するポリエチレングリコールまたはポリプロピレングリコールより選ばれる分散助剤
を混合することを含み、
前記レーザーマスターバッチ濃縮物が、工業ニスと混合されて、レーザー反応性溶剤系完成インクを形成できる、
方法。
【請求項１３】
完成レーザー反応性溶剤系インクを調製する方法であって、請求項１〜１１のいずれか１項に記載のマスターバッチ濃縮物を工業ニスと混合し、完成溶剤系レーザー反応性インクを提供することを含む方法。
【請求項１４】
請求項１〜１１のいずれか１項に記載のマスターバッチ濃縮物および工業ニスを含み、前記インク中のマスターバッチ濃縮物の量が、９０ｗｔ％を超えない、８０ｗｔ％を超えない、または７０ｗｔ％を超えない、反応性溶剤系インク。
【請求項１５】
請求項１４に記載のインクを含む印刷物品。